【手続補正書】
【提出日】平成19年8月8日(2007.8.8)
【手続補正１】
【補正対象書類名】特許請求の範囲
【補正対象項目名】全文
【補正方法】変更
【補正の内容】
【特許請求の範囲】
【請求項１】
画像供給デバイスと印刷装置とを有し、前記画像供給デバイスから供給される画像データに基づいて前記印刷装置により画像を印刷する印刷システムであって、
前記画像供給デバイスは、
前記画像供給デバイスと前記印刷装置との間の通信接続に応じて、前記印刷装置の情報を取得する取得手段と、
印刷対象の画像の印刷仕様を設定するための印刷設定手段と、
前記取得手段により取得された情報と、前記印刷設定手段により設定された印刷仕様とに応じて、印刷対象の画像ファイルの画像データを変換する変換手段と、
前記印刷装置からのデータ要求に応じて、前記変換手段により変換した画像データを前記印刷装置に送信する送信手段とを有し、
前記印刷装置は前記データ要求に応じて前記送信手段により送信された前記画像データに基づいて画像を印刷することを特徴とする印刷システム。
【請求項２】
前記変換手段による変換は、画像データの変倍、色変換、回転の少なくともいずれかを含むことを特徴とする請求項１に記載の印刷システム。
【請求項３】
前記変換手段は、前記印刷装置からのファイル情報の取得要求に応じて、前記印刷対象の画像ファイルの画像データの変換を開始することを特徴とする請求項１又は２に記載の印刷システム。
【請求項４】
前記印刷装置からの印刷対象の画像ファイルのファイル情報の取得要求に応じて、前記変換手段により変換された画像データに応じたファイル情報を前記印刷装置に送信するファイル情報送信手段を更に有することを特徴とする請求項１に記載の印刷システム。
【請求項５】
前記送信手段は、前記ファイル情報送信手段による前記ファイル情報の送信後、前記印刷装置からの画像データの要求に応じて、前記変換手段により変換された画像データを前記印刷装置に送信することを特徴とする請求項４に記載の印刷システム。
【請求項６】
前記取得手段により取得された前記情報は、通信プロトコルのバージョン情報、前記印刷装置のベンダー情報、前記印刷装置の機種情報、前記印刷装置の状態情報の少なくともいずれかを含むことを特徴とする請求項１に記載の印刷システム。
【請求項７】
前記印刷仕様は、用紙サイズ、レイアウトの少なくともいずれかを含むことを特徴とする請求項１に記載の印刷システム。
【請求項８】
前記変換手段により変換された画像データを画像ファイルとして一時記憶する記憶手段と、
前記印刷対象の画像ファイルの画像データの印刷が完了すると前記記憶手段により記憶されていた印刷対象ファイルを消去する手段とを更に有することを特徴とする請求項１に記載の印刷システム。
【請求項９】
印刷装置と直接通信し、当該印刷装置に画像データを供給する画像供給デバイスであって、
前記画像供給デバイスと前記印刷装置との間の通信接続に応じて、前記印刷装置の情報を取得する取得手段と、
印刷対象の画像の印刷仕様を設定するための印刷設定手段と、
前記取得手段により取得された情報と、前記印刷設定手段により設定された印刷仕様とに応じて、印刷対象の画像ファイルの画像データを変換する変換手段と、
前記印刷装置からのデータ要求に応じて、前記変換手段により変換した画像データを前記印刷装置に送信する送信手段と、
を有することを特徴とする画像供給デバイス。
【請求項１０】
前記変換手段による変換は、画像データの変倍、色変換、回転の少なくともいずれかを含むことを特徴とする請求項９に記載の画像供給デバイス。
【請求項１１】
前記変換手段は、前記印刷装置からのファイル情報の取得要求に応じて、前記印刷対象の画像ファイルの画像データの変換を開始することを特徴とする請求項９又は１０に記載の画像供給デバイス。
【請求項１２】
前記印刷装置からの印刷対象の画像ファイルのファイル情報の取得要求に応じて、前記変換手段により変換された画像データに応じたファイル情報を前記印刷装置に送信するファイル情報送信手段を更に有することを特徴とする請求項９に記載の画像供給デバイス。
【請求項１３】
前記送信手段は、前記ファイル情報送信手段による前記ファイル情報の送信後、前記印刷装置からの画像データの要求に応じて、前記変換手段により変換された画像データを前記印刷装置に送信することを特徴とする請求項１２に記載の画像供給デバイス。
【請求項１４】
前記取得手段により取得された前記情報は、通信プロトコルのバージョン情報、前記印刷装置のベンダー情報、前記印刷装置の機種情報、前記印刷装置の状態情報の少なくともいずれかを含むことを特徴とする請求項９に記載の画像供給デバイス。
【請求項１５】
前記印刷仕様は、用紙サイズ、レイアウトの少なくともいずれかを含むことを特徴とする請求項９に記載の画像供給デバイス。
【請求項１６】
前記変換手段により変換された画像データを画像ファイルとして一時記憶する記憶手段と、
前記印刷対象の画像ファイルの画像データの印刷が完了すると前記記憶手段により記憶されていた印刷対象ファイルを消去する手段とを更に有することを特徴とする請求項９に記載の画像供給デバイス。
【請求項１７】
印刷装置と直接通信し、当該印刷装置に画像データを供給する画像供給デバイスの制御方法であって、
前記画像供給デバイスと前記印刷装置との間の通信接続に応じて、前記印刷装置の情報を取得する取得工程と、
印刷対象の画像の印刷仕様を設定するための印刷設定工程と、
前記取得工程で取得された情報と、前記印刷設定工程で設定された印刷仕様とに応じて、印刷対象の画像ファイルの画像データを変換する変換工程と、
前記印刷装置からのデータ要求に応じて、前記変換工程で変換した画像データを前記印刷装置に送信する送信工程と、
を有することを特徴とする画像供給デバイスの制御方法。
【請求項１８】
画像供給デバイスと印刷装置とを有し、前記画像供給デバイスから供給される画像データに基づいて前記印刷装置により画像を印刷する印刷制御方法であって、
前記画像供給デバイスと前記印刷装置との間の通信接続に応じて、前記画像供給デバイスが、前記印刷装置の情報を取得する取得工程と、
前記画像供給デバイスが印刷対象の画像の印刷仕様を設定するための印刷設定工程と、
前記取得工程で取得された情報と、前記印刷設定工程で設定された印刷仕様とに応じて、前記画像供給デバイスが、印刷対象の画像ファイルの画像データを変換する変換工程と、
前記印刷装置からのデータ要求に応じて、前記変換工程で変換した画像データを前記画像供給デバイスから前記印刷装置に送信する送信工程とを有し、
前記印刷装置は前記データ要求に応じて前記前記画像供給デバイスから送信された前記画像データに基づいて画像を印刷することを特徴とする印刷制御方法。
【手続補正２】
【補正対象書類名】明細書
【補正対象項目名】発明の名称
【補正方法】変更
【補正の内容】
【発明の名称】画像供給デバイス及び該デバイスの制御方法及び印刷システムと印刷制御方法
【手続補正３】
【補正対象書類名】明細書
【補正対象項目名】０００１
【補正方法】変更
【補正の内容】
【０００１】
本発明は、画像供給デバイスと印刷装置とを有し、前記画像供給デバイスから供給される画像データに基づいて前記印刷装置により画像を印刷する印刷システム、及びその画像供給デバイス及び該デバイスの制御方法と印刷制御方法に関するものである。
【手続補正４】
【補正対象書類名】明細書
【補正対象項目名】００１３
【補正方法】変更
【補正の内容】
【００１３】
本発明は上記問題点に鑑みてなされたもので、本願発明の特徴は、印刷装置からの情報と画像供給デバイスで設定された印刷仕様に従って、印刷装置に送信する画像データを画像供給デバイスで処理して印刷装置に送信する画像供給デバイス及びその制御方法及び、印刷システムと印刷制御方法を提供することにある。
【手続補正５】
【補正対象書類名】明細書
【補正対象項目名】００１４
【補正方法】変更
【補正の内容】
【００１４】
本発明の一態様に係る印刷システムは以下のような構成を備える。即ち、
画像供給デバイスと印刷装置とを有し、前記画像供給デバイスから供給される画像データに基づいて前記印刷装置により画像を印刷する印刷システムであって、
前記画像供給デバイスは、
前記画像供給デバイスと前記印刷装置との間の通信接続に応じて、前記印刷装置の情報を取得する取得手段と、
印刷対象の画像の印刷仕様を設定するための印刷設定手段と、
前記取得手段により取得された情報と、前記印刷設定手段により設定された印刷仕様とに応じて、印刷対象の画像ファイルの画像データを変換する変換手段と、
前記印刷装置からのデータ要求に応じて、前記変換手段により変換した画像データを前記印刷装置に送信する送信手段とを有し、
前記印刷装置は前記データ要求に応じて前記送信手段により送信された前記画像データに基づいて画像を印刷することを特徴とする。
【手続補正６】
【補正対象書類名】明細書
【補正対象項目名】００１５
【補正方法】変更
【補正の内容】
【００１５】
本発明の一態様に係る画像供給デバイスは以下のような構成を備える。即ち、
印刷装置と直接通信し、当該印刷装置に画像データを供給する画像供給デバイスであって、
前記画像供給デバイスと前記印刷装置との間の通信接続に応じて、前記印刷装置の情報を取得する取得手段と、
印刷対象の画像の印刷仕様を設定するための印刷設定手段と、
前記取得手段により取得された情報と、前記印刷設定手段により設定された印刷仕様とに応じて、印刷対象の画像ファイルの画像データを変換する変換手段と、
前記印刷装置からのデータ要求に応じて、前記変換手段により変換した画像データを前記印刷装置に送信する送信手段と、
を有することを特徴とする。
【手続補正７】
【補正対象書類名】明細書
【補正対象項目名】００１６
【補正方法】変更
【補正の内容】
【００１６】
本発明の一態様に係る画像供給デバイスの制御方法は以下のような工程を備える。即ち、
印刷装置と直接通信し、当該印刷装置に画像データを供給する画像供給デバイスの制御方法であって、
前記画像供給デバイスと前記印刷装置との間の通信接続に応じて、前記印刷装置の情報を取得する取得工程と、
印刷対象の画像の印刷仕様を設定するための印刷設定工程と、
前記取得工程で取得された情報と、前記印刷設定工程で設定された印刷仕様とに応じて、印刷対象の画像ファイルの画像データを変換する変換工程と、
前記印刷装置からのデータ要求に応じて、前記変換工程で変換した画像データを前記印刷装置に送信する送信工程と、
を有することを特徴とする。
【手続補正８】
【補正対象書類名】明細書
【補正対象項目名】００１７
【補正方法】変更
【補正の内容】
【００１７】
本発明によれば、印刷装置からの情報と、画像供給デバイスで設定された印刷仕様に従って、印刷装置に送信する画像データを画像供給デバイスで処理して印刷装置に送信するため、印刷装置に送信するデータの無駄を省き、印刷装置における画像データの処理の負荷を軽減できる効果がある。